(57)【要約】【目的】本発明は、側溝路の形成につき、作製者の技量によって集水桝や側溝路の出来が異なることがなく、集水桝の形成（現場打ち）に特に作業時間をとられることもなく、コンクリート二次製品である集水桝と可変側溝との施工現場での接続作業も簡単に位置決めできて容易に行える集水桝及び側溝路を提供することを目的とするものである。【構成】本発明は、集水桝であり、予め製造された集水桝本体と上壁貫通孔に取り付けられるグレーチングと集水桝本体の底部側に敷設される桝底ブロックとを備えてなり、桝底ブロックは底板と一対の立ち上がり壁と立ち上がり壁の頂面幅方向中央位置に設けられた凹状切り欠き部とインバートコンクリート用載置台と、を有することを特徴とする。【選択図】                図１
2006045959.tif 000002
【特許請求の範囲】
【請求項１】
予め製造された断面略門型状をなすコンクリート二次製品の集水桝本体と、該集水桝本体の上壁貫通孔に取り付けられるグレーチングと、
前記集水桝本体の底部側に敷設され、前記集水桝本体と接続される、予め製造されたコンクリート二次製品の桝底ブロックと、を備えてなり、
前記桝底ブロックは、略長方形状をなす底板と、該底板の長手方向両端部から立ち上がる一対の立ち上がり壁と、該立ち上がり壁の頂面幅方向中央位置に設けられた凹状切り欠き部と、前記一対の立ち上がり壁外側面高さ方向下側位置に設けられたインバートコンクリート用載置台と、を有する、
ことを特徴とする集水桝。
【請求項２】
前記請求項１記載の集水桝と可変側溝とを長手方向に接続して形成する側溝路であり、
前記可変側溝の底部に敷設されるインバートコンクリートの長手方向端部は前記桝底ブロックの立ち上がり壁に設けられたインバートコンクリート用載置台に載置されて接続されると共に、インバートコンクリート上面に設けられた凹溝条と前記切り欠き部とが略面一状態で接続され、
前記一対の立ち上がり壁及び接続された集水桝本体の両側壁とにより囲まれたスペースは泥溜め部として構成された、
ことを特徴とする側溝路。
【発明の詳細な説明】
【技術分野】
【０００１】
本発明は、コンクリート二次製品の集水桝及びそれを使用して形成した側溝路に関するものである。
【背景技術】
【０００２】
集水桝及びそれを使用して形成した側溝路については、例えば特開２００３−３２１８７０号公報に記載されている発明が一般に知られている。
【０００３】
そして、従来は上記の発明のように施工現場で型枠を組み立て、この組み立てた型枠内にコンクリートを打設して形成する、いわゆるコンクリートの現場打ちで集水桝及び該集水桝を使用した側溝路を形成していた。
【特許文献１】特開２００３−３２１８７０号公報
【発明の開示】
【発明が解決しようとする課題】
【０００４】
しかしながら、前記従来の集水桝及びそれらを使用して形成した側溝路は施工現場で型枠を組み、その型枠内にコンクリートを打設して作製するものであり、きわめて作業手間になると共に、作製者の技量によっても集水桝や側溝路の出来が異なるとの課題があった。
【０００５】
また、従来の側溝路では所定の間隔をおいて設けられる集水桝の形成（現場打ち）に特に作業時間をとられ、さらには従来の集水桝では可変側溝との接続作業も面倒であるとの課題が生じていた。
【０００６】
かくして本発明は前記従来の課題に対処すべく創案されたものであり、側溝路の形成につき、施工現場で型枠を組み、その型枠内にコンクリートを打設して作製する必要がなく、また作製者の技量によって集水桝や側溝路の出来が異なることがなく、従来のように側溝路で所定の間隔をおいて設けられる集水桝の形成（現場打ち）に特に作業時間をとられることもなく、コンクリート二次製品である集水桝と可変側溝との施工現場での接続作業も簡単に位置決めできて容易に行える集水桝及び側溝路を提供することを目的とするものである。
【課題を解決するための手段】
【０００７】
本発明による集水桝及び側溝路は、
予め製造された断面略門型状をなすコンクリート二次製品の集水桝本体と、該集水桝本体の上壁貫通孔に取り付けられるグレーチングと、
前記集水桝本体の底部側に敷設され、前記集水桝本体と接続される、予め製造されたコンクリート二次製品の桝底ブロックと、を備えてなり、
前記桝底ブロックは、略長方形状をなす底板と、該底板の長手方向両端部から立ち上がる一対の立ち上がり壁と、該立ち上がり壁の頂面幅方向中央位置に設けられた凹状切り欠き部と、前記一対の立ち上がり壁外側面高さ方向下側位置に設けられたインバートコンクリート用載置台と、を有する、
ことを特徴とし、
または、
前記請求項１記載の集水桝と可変側溝とを長手方向に接続して形成する側溝路であり、
前記可変側溝の底部に敷設されるインバートコンクリートの長手方向端部は前記桝底ブロックの立ち上がり壁に設けられたインバートコンクリート用載置台に載置されて接続されると共に、インバートコンクリート上面に設けられた凹溝条と前記切り欠き部とが略面一状態で接続され、
前記一対の立ち上がり壁及び接続された集水桝本体の両側壁とにより囲まれたスペースは泥溜め部として構成された、
ことを特徴とするものである。
【発明の効果】
【０００８】
本発明による集水桝及び側溝路であれば、側溝路の形成につき、施工現場で型枠を組み、その型枠内にコンクリートを打設して作製する必要がなく、また作製者の技量によって集水桝や側溝路の出来が異なるがなく、従来のように側溝路で所定の間隔をおいて設けられる集水桝の形成（現場打ち）に特に作業時間をとられることもなく、コンクリート二次製品である集水桝と可変側溝との施工現場での接続作業も簡単に位置決めできて容易に行える集水桝及び側溝路を提供出来るとの優れた効果を奏する。
【発明を実施するための最良の形態】
【０００９】
以下本発明を図に示す実施例に基づいて説明する。
【００１０】
本発明による集水桝はコンクリート二次製品として工場などで予め製造されたものであり、まず、予め製造された断面略門型状をなす集水桝本体１と、該集水桝本体１の上壁２を貫通する貫通孔３に取り付けられるグレーチング４と、前記集水桝本体１の底部側に敷設され、前記集水桝本体１と接続される、やはり予め工場等でコンクリート二次製品として製造された桝底ブロック５と、を備えて構成されている。
【００１１】
前記集水桝本体１は、上壁２と該上壁２の幅方向両端部から垂下する側壁１１，１１とにより断面略門型状をなして構成されている。
【００１２】
そして、桝底ブロック５は、略長方形状をなす底板６と、該底板６の長手方向両端部から上方に立ちあがる一対の立ち上がり壁７，７と、該立ち上がり壁７の頂面８の幅方向中央位置に設けられた凹状切り欠き部９と前記一対の立ち上がり壁７の外側面高さ方向下側位置において外側に突出して設けられたインバートコンクリート用載置片１０と、を有して構成されている。
【００１３】
ここで、本発明による集水桝の敷設にあたっては、施工現場において、まず先に桝底ブロック５が運搬され、該桝底ブロック５は敷設箇所において水平にして敷設される。
【００１４】
しかして、当該敷設箇所には基礎砕石が打設され、その上に敷モルタルが打設されている。
【００１５】
そして、その上に桝底ブロック５が載置され、敷設される。
【００１６】
ここで、該桝底ブロック５が敷設された後、この桝底ブロック５の上に被せるようにして集水桝本体１が載置、接続される。
【００１７】
集水桝本体１はその側壁１１，１１が前記桝底ブロック５の幅方向両側に設けられた当接面１４，１４に前記側壁１１の下端面が当接するよう載置される。そして該側壁１１の内側面は前記桝底ブロック５の立ち上がり壁７幅方向両端面に当接して接続される。
【００１８】
ここで、立ち上がり壁７の幅方向両端面には高さ方向に向かって凹状溝１５が設けられており、該凹状溝１５には、気密材１６が介在されて、その気密性が図られている。
【００１９】
ところで、桝底ブロック５の底板６の略中央位置には、方形体状の凹み部１７が設けられている。
後述するが、該凹み部１７を含めて泥溜部２３が構成されるものとなる。
次に上記のようにして構成された二次コンクリート製品の集水桝１８を使用した側溝路の施工について説明する。
【００２０】
敷設される側溝路の所定間隔位置には当該集水桝１８が複数箇所に設けられる。この集水桝１８の接続長手方向両端側にはやはりコンクリート二次製品で構成された可変側溝１９が接続される。
【００２１】
当該集水桝１８の施工方法は前述したとおりであるが、その後立ち上がり壁７の外側に設けられたインバートコンクリート用載置台１０の上に可変側溝１９を構成するコンクリート二次製品たるインバートコンクリート２０の底面が載置することになる。
【００２２】
このように載置されたインバートコンクリート２０は幅方向略中央位置に凹溝条２１が長手方向に向かって設けられており、この凹溝条２１と立ち上がり壁７の頂面８の幅方向略中央位置に設けられた凹状切り欠き部９とが略面一状態となるように敷設される。
【００２３】
この集水桝１８の形状と接続すべき可変側溝１９の形状とはほぼ同等の幅の形状をなして構成されており、それを長手方向に接続して形成すると同一の幅となる側溝路が形成できるものとなる。
【００２４】
従来では可変側溝より長さの短い集水桝１８の形成が予定されているため、集水スペースの確保のため図６に示すように広幅の集水桝を作製せざるを得ないものであった。しかし、本発明では可変側溝１９とほぼ同等の幅の集水桝１８となり、外見上も優れた美観を有している。
【００２５】
ところで、本発明に使用される可変側溝１９はその上壁に幅方向略中央位置において長手方向に伸びるスリット２２が形成されている。このスリットから可変側溝１９内部に浸透した雨水はインバートコンクリート２０の凹溝条２１内を流れ集水桝１８の泥溜部２３に移動する。
【００２６】
該泥溜部２３は前記した一対の立ち上がり壁７，７と接続された集水桝本体１の両側壁１１，１１とにより囲まれたスペースで形成され、この泥溜部２３に可変側溝１９内を流れた雨水が移動し泥水が溜められる。
【００２７】
所定量の泥水が溜められたら、上方のグレーチング４を外し、ポンプ等を挿入して溜められた泥水を取り除くことになる。
【００２８】
このように本発明の側溝路は極めて迅速に敷設することができ、従来に比して敷設作業効率を大幅に向上させることができる。しかも集水桝１８と該集水桝１８に接続する可変側溝１９の形状はほぼ同等の形状とされており、このことからも施工が行いやすく、しかも優れた美観の側溝路を形成すとが出来る。
【図面の簡単な説明】
【００２９】
【図１】本発明による側溝路の構成を説明する説明図である。
【００３０】
【図２】本発明による集水桝の構成を説明する説明図である。
【００３１】
【図３】本発明による桝底ブロックの構成を説明する説明図である。
【００３２】
【図４】本発明による側溝路の構成を説明する平面図である。
【００３３】
【図５】本発明による側溝路の構成を説明する一部を断面で説明した側面図である。
【００３４】
【図６】従来例の構成を説明する説明図である。
【符号の説明】
【００３５】
１    集水桝本体  
２    上壁
３    貫通孔
４    グレーチング
５    桝底ブロック
６    底板
７    立ち上がり壁
８    頂面
９    凹状切り欠き部
１０    インバートコンクリート用載置台
１１    側壁
１４    当接面
１５    凹状溝
１６    気密材
１７    凹み部
１８    集水桝
１９    可変側溝
２０    インバートコンクリート
２１    凹状溝
２２    スリット
２３    泥溜部
【図１】
2006045959.tif 000003
【図２】
2006045959.tif 000004
【図３】
2006045959.tif 000005
【図４】
2006045959.tif 000006
【図５】
2006045959.tif 000007
【図６】
2006045959.tif 000008